(57)【要約】【課題】所望の切断角度で木材を容易に、かつ正確に切断することができる鋸用治具を提供することを目的とする。【解決手段】鋸用治具１８は、平板状の上板１及び側板２が互いの一辺を共有し直角をなすように形成された断面Ｌ型の基台３と、基台３の端部に上板１の表面上を摺動可能に設置され固定ガイド部５が垂設される回転盤４とを備え、固定ガイド部５には、Ｌで示す方向に移動可能な移動ガイド部６が設置されるとともに、Ｍで示す方向に移動可能な摺動部７が設置されており、回転盤４及び側板２には目盛り９ａ，９ｂが設けられ、上板１及び側板２の裏面には、摩擦体１７が装着されている。【選択図】図１
0003116106.tif 000002
【実用新案登録請求の範囲】
【請求項１】
平板状の上板及び側板が互いの一辺を共有し直角をなすように形成される断面Ｌ型の基台と、前記基台の端部に軸支され、前記上板の表面上を摺動する回転盤と、平板状の第一のガイド面を有し前記回転盤に垂設される固定ガイド部と、平板状の第二のガイド面を有し前記回転盤の軸方向に対して移動自在に前記固定ガイド部の一方の側面に設置される移動ガイド部とを備え、前記第一のガイド面及び前記第二のガイド面は略同一面上に形成されることを特徴とする鋸用治具。
【請求項２】
前記回転盤は、回転角度を示す第一の目盛りを備えることを特徴とする請求項１記載の鋸用治具。
【請求項３】
前記上板及び前記側板のうち少なくとも一方は、前記被切断物との当接面に前記上板及び前記側板よりも大きな摩擦係数を有する摩擦体が装着されることを特徴とする請求項１又は請求項２に記載の鋸用治具。
【請求項４】
前記側板は、前記被切断物の長さ方向の位置を示す第二の目盛りを備えることを特徴とする請求項１乃至請求項３のいずれか１項に記載の鋸用治具。
【請求項５】
前記固定ガイド部の他方の側面から前記第一のガイド面と略同一面内に伸縮可能に延設される摺動部を有し、前記摺動部は前記側板とともに被切断物を挟持する保持部を備えることを特徴とする請求項１乃至請求項４のいずれか１項に記載の鋸用治具。
【請求項６】
前記摺動部は、平板状の第三のガイド面を備え、この第三のガイド面は前記第一のガイド面及び前記第二のガイド面と略同一面上に形成されることを特徴とする請求項５に記載の鋸用治具。
【考案の詳細な説明】
【技術分野】
【０００１】
本考案は、鋸を用いて角材や丸太材などの木材を切断する際に使用する治具に係り、特に切断面が木材の長さ方向に対して所望の角度をなすような切断加工を容易に、かつ正確に行うことを可能とする鋸用治具に関する。
【背景技術】
【０００２】
角材や丸太材などの木材を複数組み合わせて木材製品を製作する場合、木材の長さ方向に対する切断面の角度（以下、切断角度という。）が所望の値になるような加工を施す必要がある。そのため、一般には、木材に描いたけがき線に鋸の刃を沿わせる、あるいは木材の上面に木片を当て具として設置し、この当て具に鋸の側面を接触させるなどして、切断作業中における鋸の位置ずれを防止する方法が知られている。しかし、けがき線を用いる方法は鋸が支持されていないため、切断加工中に鋸の姿勢を安定させることは容易でない。また、熟練していない作業者の場合、当て具を用いても木材を所望の切断角度で切断することは困難である。
そこで、従来、木材の切断作業に熟練していないような一般の作業者であっても、木材を所望の切断角度で正確かつ容易に切断できる技術が開発されており、いくつかの発明や考案が開示されている。
【０００３】
例えば、特許文献１には、「鋸案内具」という名称で、手挽きの鋸で木材を切断する際に、鋸の不規則な振れを防ぎ、指定した角度での正確な切断が可能な鋸案内具に関する考案が開示されている。
【０００４】
以下、図４を参照しながら、特許文献１に開示された考案について説明する。
図４は従来技術に係る鋸案内具の斜視図である。
図４に示すように、従来技術に係る考案は、木材６２の上面及び側面に各々当接するＬ型基台５１と、このＬ型基台５１の一端部に軸ネヂ５９及び蝶ネヂ６０を用いて角度自在に取り付けられる摺動片５３と、この摺動片５３に立設されるとともに、磁石を保有する平滑板５５が取り付けられた案内板５４とを備え、Ｌ型基台５１の木材６２への当接面には滑り止め５２が装着され、摺動片５３には合せ点（Ａ）５６が刻印され、Ｌ型基台５１には合せ点（Ｂ）５７及び合せ点（Ｃ）５８が刻印されている。
上記構造の「鋸案内具」においては、合せ点（Ａ）５６を合せ点（Ｂ）５７又は合せ点（Ｃ）５８と合致させ蝶ネヂ６０を締め込んで摺動片５３を固定することにより、案内板５４が木材６２の長さ方向に対してそれぞれ９０度及び４５度の角度をなして固定される。これにより、設定したこれらの角度に従って、木材６２を正確に切断することが可能となる。また、磁石が鋸６１を吸着して横振れを防止するとともに、すべり止め５２によりＬ型基台５１の木材６２との定着度が増すため、切断作業を安定して行うことができる。
【０００５】
また、特許文献２には「鋸引き用定規」という名称で、角材、天井板、長押、床材等の柱状材に対し、正確な鋸引きを可能とするための定規に関する考案が開示されている。
特許文献２に開示された考案は、定規本体取付け装置により柱状材に取付けられた定規本体と、固定ナットにより所望の傾斜角度で定規本体に固定されたガイド板と、このガイド板に取り付けられた磁気吸着基準部材とから構成され、磁気吸着基準部材内に永久磁石が配置されたことを特徴とするものである。
上記構造の「鋸引き用定規」においては、鋸が磁気吸着基準部材に吸着されるため、柱状材を正確に切断することができる。また、ガイド板を定規本体の目盛りにあわせて固定することにより、柱状材を所望の角度で切断することが可能である。さらに、定規本体取付け装置により定規本体が角材に確実に固定されるため、切断作業中に定規本体の位置ずれが発生することがない。
【０００６】
さらに、特許文献３には「鋸切断用治具」という名称で、手挽鋸によって木材を種々の角度に正確に切断できるようにするための治具に関する発明が開示されている。
特許文献３に開示された発明は、木材に当てがう基盤と、鋸刃を差し入れる隙間を有する鋸刃ガイドと、鋸刃ガイドを基盤に固定する支持体とから構成され、鋸刃ガイドと支持体との間の角度及び支持体と基盤との間の角度が変更可能であることを特徴とするものである。
上記構造の「鋸切断用治具」においては、基盤に対する支持体の角度を変えることにより、木材を所望の角度で切断することができる。また、鋸刃ガイドを手前側への傾斜だけでなく、前方側に傾斜させた状態で固定することにより、傾斜方向が異なる場合でも、被加工材を裏返すことなく、連続的に作業を行うことが可能である。
【０００７】
【特許文献１】実用新案登録第３０８３４６９号公報
【特許文献２】実開平５−２４３０４号公報
【特許文献３】特開２００１−３８７０１号公報
【考案の開示】
【考案が解決しようとする課題】
【０００８】
しかしながら、上述の従来技術である特許文献１に開示された考案においては、Ｌ型基台５１又は摺動片５３のいずれも回転角度を示す目盛りを備えていないため、合せ点（Ｂ）５７又は合せ点（Ｃ）５８に示されていない角度については正確に設定できないという課題があった。また、Ｌ型基台５１は裏面にすべり止め５２が装着されているものの、木材６２を保持する機構を備えていないため、切断作業中にＬ型基台５１の位置がずれるおそれがある。さらに、切断作業時に鋸６１の先端が位置する木材６２の側面付近には案内板５４が配置されていないため、木材６２を切断するに従って、鋸６１と案内板５４との接触面積が減少し、その結果、鋸６１が案内板５４によって十分には案内されないという課題があった。そして、鋸６１が磁石で吸着されることにより横ぶれが防止されるものの、鋸６１と案内板５４との間に大きな摩擦力が働くため、鋸６１の操作に多大な労力を要するという課題があった。
【０００９】
特許文献２に開示された考案においては、切断作業時に鋸の先端が位置する角材の側面付近にはガイド板が配置されていないため、角材の切断が進行するにつれて、鋸とガイド板との接触面積が減少し、その結果、ガイド板による鋸の案内機能が十分に発揮されないという課題があった。また、鋸が磁気吸着基準部材に吸着されて角材の正確な切断が可能になるものの、鋸とガイド板との間の摩擦力が大きくなるため、切断作業に多大な労力を要するという課題があった。
【００１０】
また、特許文献３に開示された発明においては、基盤又は支持体が回転角度を示す目盛りを有していないため、正確な角度設定を行うことができないという課題があった。また、基盤はすべり止めや保持機構を備えていないため、切断作業時に位置がずれる可能性が高い。さらに、切断作業時に鋸の先端が位置する加工材側面付近には鋸刃ガイドが配置されていないため、加工材の切断深さが深くなるにつれて、鋸と鋸刃ガイドとの接触面積が減少する。その結果、鋸刃ガイドによる鋸の案内が不十分になるという課題があった。
【００１１】
本考案はかかる従来の事情に対処してなされたものであり、所望の切断角度で木材を容易に、かつ正確に切断することができる鋸用治具を提供することを目的とする。
【課題を解決するための手段】
【００１２】
上記目的を達成するため、請求項１記載の考案である鋸用治具は、平板状の上板及び側板が互いの一辺を共有し直角をなすように形成される断面Ｌ型の基台と、基台の端部に軸支され、上板の表面上を摺動する回転盤と、平板状の第一のガイド面を有し回転盤に垂設される固定ガイド部と、平板状の第二のガイド面を有し回転盤の軸方向に対して移動自在に固定ガイド部の一方の側面に設置される移動ガイド部とを備え、第一のガイド面及び第二のガイド面は略同一面上に形成されることを特徴とするものである。
このような構成の鋸用治具においては、木材などの被切断材の上面に基台を設置した状態で回転盤を回転させると、被切断材の長さ方向に対して第一のガイド面及び第二のガイド面が所望の角度をなして配置されるという作用を有する。また、回転盤の軸方向に対して移動ガイド部を移動させることにより、回転盤の軸方向に対する第二のガイド面の位置が変更されるという作用を有する。
【００１３】
また、請求項２記載の考案は、請求項１記載の鋸用治具において、回転盤は、回転角度を示す第一の目盛りを備えることを特徴とするものである。
このような構成の鋸用治具においては、被切断材の長さ方向に対する第一のガイド面の角度設定が請求項１記載の考案よりも正確になされるという作用を有する。
【００１４】
請求項３記載の考案は、請求項１又は請求項２に記載の鋸用治具において、上板及び側板のうち少なくとも一方は、被切断物との当接面に上板及び側板よりも大きな摩擦係数を有する摩擦体が装着されることを特徴とするものである。
このような構成の鋸用治具においては、請求項１又は請求項２に記載された考案の作用に加えて、基台が被切断物に対してずれ難いという作用を有する。
【００１５】
請求項４記載の考案は、請求項１乃至請求項３のいずれか１項に記載の鋸用治具において、側板は、被切断物の長さ方向の位置を示す第二の目盛りを備えることを特徴とするものである。
このような構成の鋸用治具においては、請求項１乃至請求項３のいずれか１項に記載された考案の作用に加えて、第二の目盛りによって基台の被切断物の長さ方向に対する位置が示されるという作用を有する。
【００１６】
請求項５記載の考案は、請求項１乃至請求項４のいずれか１項に記載の鋸用治具において、固定ガイド部の他方の側面から第一のガイド面と略同一面内に伸縮可能に延設される摺動部を有し、摺動部は側板とともに被切断物を挟持する保持部を備えることを特徴とするものである。
このような構成の鋸用治具においては、請求項１乃至請求項４のいずれか１項に記載された考案の作用に加えて、第一のガイド面と略同一面内で摺動部の位置を移動させることにより、被切断物の幅方向に対する側板と保持部との距離が変更されるという作用を有する。
【００１７】
請求項６記載の考案は、請求項５に記載の鋸用治具において、摺動部は、平板状の第三のガイド面を備え、この第三のガイド面は第一のガイド面及び第二のガイド面と略同一面上に形成されることを特徴とするものである。
このような構成の鋸用治具によれば、請求項５に記載された考案の作用に加えて、第一のガイド面と略同一面内で摺動部の位置を移動させることにより、被切断物の幅方向に対する第三のガイド面の位置が変更されるという作用を有する。
【考案の効果】
【００１８】
以上説明したように、本考案の請求項１に記載の鋸用治具においては、木材などの被切断物の上面に基台を設置した場合、鋸の側面を第一のガイド面及び第二のガイド面に接触させながら被切断物を切断することにより、被切断物を容易に切断することが可能である。また、移動ガイド部の位置を移動させることにより、鋸の先端が位置する被切断物の側面付近に第二のガイド面を配置することができるため、切断作業が進行した場合でも第二のガイド面によって鋸の案内を確実に行うことができる。
【００１９】
本考案の請求項２に記載の鋸用治具においては、請求項１記載の考案の効果に加えて、所望の切断角度で被切断物を正確に切断することが可能である。
【００２０】
本考案の請求項３に記載の鋸用治具においては、請求項１又は請求項２に記載された考案の効果に加えて、切断作業中に基台が被切断物からずれ難いため、作業の安全性が向上する。
【００２１】
本考案の請求項４に記載の鋸用治具においては、請求項１乃至請求項３のいずれか１項に記載された考案の効果に加えて、被切断物に予めマーキングを施しておくことにより、切断作業中に基台が被切断物の長さ方向にずれた場合でも容易に元の位置に戻すことができる。また、第二の目盛りを利用することによって、被切断物の長さ方向に基台を所望の長さだけずらして切断作業を行うことが可能である。
【００２２】
本考案の請求項５に記載の鋸用治具においては、請求項１乃至請求項４のいずれか１項に記載された考案の効果に加えて、被切断物の幅に応じて側板と保持部との距離を調節できるため、基台を被切断物に対して確実に固定することができる。
【００２３】
本考案の請求項６に記載の鋸用治具においては、請求項５に記載された考案の効果に加えて、摺動部の位置を移動させることにより、被切断物の幅が広い場合でも、第三のガイド面によって鋸の案内を確実に行うことができる。
【考案を実施するための最良の形態】
【００２４】
以下に、本考案の最良の実施の形態に係る鋸用冶具の実施例について図１乃至図３を用いて説明する。
【実施例】
【００２５】
図１（ａ）及び（ｂ）と図２（ａ）及び（ｂ）はそれぞれ本考案の実施の形態に係る鋸用治具の斜視図、正面図、右側面図及び左側面図であり、図１（ｃ）は図１（ａ）で移動ガイド部を外した図である。また、図３（ａ）は本考案の実施の形態に係る鋸用治具の平面図であり、（ｂ）は図３（ａ）の状態から回転盤の角度を変更した状態を示す図である。
図１及び図２に示すように、本実施例の鋸用治具１８は、平板状の上板１及び側板２が互いの一辺を共有し直角をなすように断面Ｌ型の基台３を形成し、この基台３の端部には上板１の表面上を摺動可能に回転盤４が取り付けられ、回転盤４にはガイド面１６ａを有する固定ガイド部５が垂設されている。
固定ガイド部５の一方の側面に形成された突起部５ａには方向Ｌで示す向きに移動可能な移動ガイド部６が嵌合し、固定ガイド部５の他方の側面からはガイド面１６ａと略同一面内で方向Ｍで示す向きに伸縮可能な摺動部７が延設されている。
移動ガイド部６は、ガイド面１６ａと略同一面上に形成される平板状のガイド面１６ｂを備え、その下端は側板２が当接する被切断物１９の上面よりも下の位置まで延設されている。また、この移動ガイド部６は、突起部５ａに穿設されたネジ孔１３ｂに螺挿される蝶ネジ１２ｂを方向Ｌで示す向きに長く形成された長孔１１ｂを介して締め付けることによって位置が保持される構造となっている。
摺動部７は、その下部に被切断物１９の上面よりも下の位置まで延設される保持部８を備えており、この保持部８は側板２とともに被切断物１９を挟持する。また、摺動部７は保持部８も含めてガイド面１６ａと略同一面上に形成される平板状のガイド面１６ｃを備えており、固定ガイド部５に穿設されたネジ穴１３ｃに螺挿される蝶ネジ１２ｃを締め付けることによって、図２（ｂ）中に符号Ｍで示される方向においてその位置が保持されている。
【００２６】
回転盤４は、回転盤４及び上板１に穿設された貫通孔１５ａ，１５ｂを挿通しナット（図示せず）に螺挿されるネジ１４によって上板１の表面上を回転自在に軸支されており、回転盤４の上面には３０度から９０度の範囲の複数の回転角度を示す目盛り９ａが貫通孔１５ａを中心として放射状に設けられている。また、回転盤４は、貫通孔１５ａを中心とする円弧状の長孔１１ａが形成されており、上板１に穿設されたネジ孔１３ａに螺挿される蝶ネジ１２ａをこの長孔１１ａを介して締め付けることにより位置が保持される構造となっている。
上板１及び側板２の被切断物１９との当接面には、摩擦係数が大きい摩擦体１７として、微小な凹凸が形成された合成樹脂製のフィルムが装着されている。また、側板２には、被切断物１９の長さ方向に対して目盛り９ｂが設けられている。
なお、本実施例の基台３、回転盤４、固定ガイド部５、移動ガイド部６及び摺動部７は合成樹脂製であるがこれに限定されるものではなく、例えば、金属製であっても良い。ただし、ガイド面１６ａ〜１６ｃの素材は摩擦係数が小さいアクリル等の硬質合成樹脂であることが望ましい。従って、ガイド面１６ａ〜１６ｃは固定ガイド部５、移動ガイド部６及び摺動部７と一体構造とせずに別部材として、ガイド面１６ａ〜１６ｃにはアクリル等の硬質合成樹脂を使用し、固定ガイド部５、移動ガイド部６及び摺動部７には硬質合成樹脂以外の素材を使用しても良い。
【００２７】
上記構成の鋸用治具１８においては、摩擦体１７により、上板１及び側板２と被切断物１９との間の摩擦係数が大きくなって、基台３がずれ難くなるという作用を有する。また、目盛り９ｂによって被切断物１９の長さ方向に対する鋸用治具１８の位置が示されるという作用を有する。
さらに、図２（ｂ）に示すように、鋸２０の側面をガイド面１６ａ〜１６ｃに接触させながら被切断物１９を切断することによって、鋸２０の横ぶれが抑えられるという作用を有する。ガイド面１６ａを中心に、被切断物１９のいずれの側面にもガイド面１６ｂ，１６ｃが存在するため、図２（ｂ）に示されるように鋸２０の先端側を下方にして切断する方法の他、たとえ逆に先端側を上方にして鋸２０を操作したとしても、鋸２０の刃の進行方向に常にガイド面が存在することになり、鋸２０を容易に案内するという作用を備えている。
また、移動ガイド部６の位置を変更することによって、ガイド面１６ｂの位置が方向Ｌで示す向きに移動されるという作用を有する。そして、摺動部７の位置を変更することによって、ガイド面１６ｃの位置が方向Ｍで示す向きに移動されるという作用を有する。
加えて、蝶ネジ１２ａを緩めて図３（ａ）に示す状態から回転盤４を貫通孔１５ａを中心として回転させ、図３（ｂ）に示すように、所望の角度、例えば、６０度を指示する目盛り９ａを基準位置１０に一致させて再び蝶ネジ１２ａを締め付けることにより、ガイド面１６ａ〜１６ｃは被切断物１９の長さ方向に対して６０度の角度をなした状態で固定されるという作用を有する。
【００２８】
以上説明したように、本実施例の鋸用治具１８においては、ガイド面１６ａ〜１６ｃによって鋸２０の側面が案内されるため、熟練していない作業者であっても鋸２０の横ぶれを起こさずに、被切断物１９を所望の切断角度で正確に切断することが可能である。また、被切断物１９の幅に応じて、側板２と保持部８との距離を調節できるため、基台３が被切断物１９に対して確実に固定される。さらに、ガイド面１６ｂ，１６ｃの位置を調節できるため、切断作業が進行しても、鋸２０の側面とガイド面１６ｂ，１６ｃとの接触面積を広く保つことができる。加えて、切断作業時に基台３が被切断物１９からずれ難いため、作業の安全性が向上する。また、被切断物１９に予めマーキングを施すことにより、万一、切断作業中に基台３が被切断物１９の長さ方向にずれた場合でも容易に元の状態に戻すことができる。なお、被切断物１９を複数回、連続して切断する場合には、目盛り９ｂを利用して基台３を所望の長さだけずらすようにすれば良い。
【００２９】
なお、本考案の鋸用治具１８は本実施例に示した構成に限定されるものではなく、種々変形可能である。例えば、長孔１１ａ，１１ｂに代えて回転盤４及び移動ガイド部６の対応する位置に複数の貫通孔を穿設しても良い。そして、それらの貫通孔に対して蝶ネジ１２ａ，１２ｂに代えて、ピンを挿入することにより回転盤４及び移動ガイド部６の位置を固定しても良い。また、目盛り９ａ，９ｂは回転盤４や側板２の表面に印字若しくは刻印しても良いし、角度や長さの目盛りが付された市販の定規を貼り付けても良い。さらに、摩擦体１７は合成樹脂製のフィルムに限らず、基台３の素材よりも摩擦係数の大きな素材であれば良い。また、上板１及び側板２の被切断物１９との当接面に摩擦体１７を装着する代わりに微小な凹凸を形成しても良い。
また、本実施例においては摺動部７の保持部８は上下方向に対して一体に固定されているが、移動ガイド部６と同様に可動としてもよい。その際には、移動ガイド部６と同様に摺動部７に長孔を設け、蝶ネジで留めるようにするとよい。このように保持部８を摺動部７に対して上下方向に可動とすれば被切断物１９が大型材の場合に挟持が容易となる他、鋸２０の作業進行に対する案内機能の低下を防止することも可能である。
【産業上の利用可能性】
【００３０】
以上説明したように、請求項１乃至請求項６に記載された本考案は、手動の鋸を用いて角材や棒材などの被切断物を所望の切断角度で切断する場合に適用可能であり、被切断物は木材に限られない。例えば、合成樹脂製のパイプ等の切断に対しても適用可能である。
【図面の簡単な説明】
【００３１】
【図１】（ａ）及び（ｂ）はそれぞれ本考案の実施の形態に係る鋸用治具の斜視図及び正面図であり、（ｃ）は図１（ａ）で移動ガイド部を外した図である。
【図２】（ａ）及び（ｂ）はそれぞれ本考案の実施の形態に係る鋸用治具の右側面図及び左側面図である。
【図３】（ａ）は本考案の実施の形態に係る鋸用治具の平面図であり、（ｂ）は図３（ａ）の状態から回転盤の角度を変更した状態を示す図である。
【図４】従来技術に係る鋸案内具の斜視図である。
【符号の説明】
【００３２】
１…上板  ２…側板  ３…基台  ４…回転盤  ５…固定ガイド部  ５ａ…突起部  ６…移動ガイド部  ７…摺動部  ８…保持部  ９ａ，９ｂ…目盛り  １０…基準位置  １１ａ，１１ｂ…長孔  １２ａ〜１２ｃ…蝶ネジ  １３ａ，１３ｂ…ネジ孔  １４…ネジ  １５ａ，１５ｂ…貫通孔  １６ａ〜１６ｃ…ガイド面  １７…摩擦体  １８…鋸用治具  １９…被切断物  ２０…鋸  ５１…Ｌ型基台  ５２…すべり止め  ５３…摺動片  ５４…案内板  ５５…平滑板  ５６…合せ点（Ａ）  ５７…合せ点（Ｂ）  ５８…合せ点（Ｃ）  ５９…軸ネヂ  ６０…蝶ネヂ  ６１…鋸  ６２…木材  Ｌ，Ｍ…方向
【図１】
0003116106.tif 000003
【図２】
0003116106.tif 000004
【図３】
0003116106.tif 000005
【図４】
0003116106.tif 000006